(57)【要約】【課題】コンビネーションＩＣカードに外力による曲げ、又は搬送ローラー等の物理的な荷重が加わった時、断線等の故障を低減するコンビネーションＩＣカードを提供することにある。【解決手段】コンビネーションＩＣカード用のカード基板の内部に備えた非接触用アンテナと前記ＩＣモジュールとの接合部の位置を、ＩＣカード本体平面の長辺方向に平行なＩＣモジュールセンター部より上側に配置し、且つリーダーライターのカード搬送用ローラーの通過位置を回避して設けられていることを特徴とするコンビネーションＩＣカード。【選択図】図１
2004118502.tif 000002
【特許請求の範囲】
【請求項１】
接触及び非接触応答機能を備えた１つのＩＣモジュールを装着したコンビネーションＩＣカードであって、コンビネーションＩＣカード用のカード基板の内部に備えた非接触用アンテナと前記ＩＣモジュールとの接合部の位置を、ＩＣカード本体平面の長辺方向に平行なＩＣモジュールセンター部より上側に配置したことを特徴とするコンビネーションＩＣカード。
【請求項２】
前記接合部の位置が、リーダーライターのカード搬送用ローラーの通過位置を回避して設けられていることを特徴とする請求項１記載のコンビネーションＩＣカード。
【発明の詳細な説明】
【０００１】
【発明の属する技術分野】
本発明は、コンビネーションＩＣカードに関する。
【０００２】
【従来の技術】
図３は従来のコンビネーションＩＣカードの構成を説明する平面図であり、まず、従来のコンビネーションＩＣカードは、図３に示すように、コンビネーションＩＣカード（１）（以下ＩＣカードとする）の左上の位置にＩＣモジュール（３）を装着するモジュール装着用凹部（４）がある。また、前記ＩＣカード（１）の内部には予め非接触用アンテナ（２）（以下アンテナと記す）が収納されている。前記非接触アンテナは表面より見えないため破線で表示した。前記ＩＣカードのサイズ、及び前記モジュール搭載部の位置は統一規格に準じて許容範囲内で配置製造されている。
【０００３】
図６は従来のコンビネーションＩＣカードの積層構成を示す側断面図である。図６の断面図に示すように、ＩＣカードは、表面より順番に表面オーバーシート（２５）、第２コアシート（２４）、表面にアンテナを備えたアンテナ形成シート（２３）、第１コアシート（２２）、裏面オーバーシート（２１）より積層構成されている。
【０００４】
ＩＣモジュール（３）は、モジュール装着用凹部（４）の削り出し部の中央部に装着されている。ＩＣモジュールは、導電性接着剤（５）を介して、前記アンテナに固着されている。
【０００５】
そして、図３に示すように、従来の前記アンテナとＩＣモジュールとの接合部（１１）の位置は、ＩＣモジュール（３）上のセンター部（Ｏ１）にあり、左右の接合部（１１）の位置は互いに正対位置になるように、又は、図４に示すように、左右の接合部（１１）の位置が対角線方向に対向する（接続部がモジュールのはすにある）ように設計配置することが一般的である。以下、図３のＩＣカードは、従来方式Ａ型とし、図４のＩＣカードを従来方式Ｂ型する。
【０００６】
図５（ａ）は、従来方式Ａ型のコンビネーションＩＣカードの平面図であり、図５（ｂ）は、ＩＣカードを短辺方向（Ｌ２方向）に、曲げた状態の側断面図である。
【０００７】
図５（ａ）に示すように、アンテナとＩＣモジュールの接合部（１１）は、ＩＣモジュールの中央部にあり、変形量の大きいＩＣモジュールセンター部（Ｏ１）に配置することになる。ＩＣカードが短辺方向（Ｌ２方向）に曲げられると、ＩＣモジュール（３）がＩＣカード（１）の変形に追随できず、ＩＣモジュール（３）を剥離しようとする力が加わる。
【０００８】
図５（ｂ）に示すように、ＩＣカード（１）を短辺方向に折り曲げた際にカードに曲げ応力が加わるので、モジュール装着用凹部（４）の中央付近を中心としてＩＣカード（１）が変形する。該変形にＩＣモジュールが追随できず、アンテナとＩＣモジュールの接合部（１１）の断線が発生する場合がある。
【０００９】
また、図４に示す従来方式Ｂ型のコンビネーションＩＣカードの場合には、アンテナとＩＣモジュールの接合部（１１）の位置が対角線方向に対向している。一般的にリーダーライターには、４ｍｍ程度の搬送用ローラーを用いてＩＣカードを搬送するタイプがあり、このＩＣカードの場合、該ローラーがローラーの搬送軌跡（８）で示したように、アンテナとモジュールの接合部（１１）を通過し、前記接合部にローラーによってダメージを与えることがある。
【００１０】
上述のように、短辺方向に折り曲げ応力が加わった際、接合部の接合強度を劣化させる。又は、ＩＣカード（１）通信中の際、リーダーライターの搬送用ローラーによる応力が、ローラー搬送軌跡（８）に沿って付加されるとアンテナとＩＣモジュールの接合部（１１）の接合強度を劣化させる。すなわち、コンビネーションＩＣカード（１）の前記接合部（１１）にダメージを与える状況となっていて、接続不良や断線の発生の原因となる。
【００１１】
【発明が解決しようとする課題】
本発明の課題は、コンビネーションＩＣカードの外力による曲げ、又は搬送ローラー等の物理的な荷重時に、故障、不良が発生しないコンビネーションＩＣカードを提供することにある。
【００１２】
【課題を解決するための手段】
本発明の請求項１に係る発明は、接触及び非接触応答機能を備えた１つのＩＣモジュールを装着したコンビネーションＩＣカードであって、コンビネーションＩＣカード用のカード基板の内部に備えた非接触用アンテナと前記ＩＣモジュールとの接合部の位置を、ＩＣカード本体平面の長辺方向に平行なＩＣモジュールセンター部より上側に配置したことを特徴とするコンビネーションＩＣカードである。
【００１３】
本発明の請求項２に係る発明は、前記接合部の位置が、リーダーライターのカード搬送用ローラーの通過位置を回避して設けられていることを特徴とする請求項１記載のコンビネーションＩＣカードである。
【００１４】
【発明の実施の形態】
以下本発明の実施の形態を図を用いて詳細に説明する。
【００１５】
図１は、本発明のコンビネーションＩＣカードのアンテナとＩＣモジュールの接合部の位置を示す平面図である。
【００１６】
接触及び非接触応答機能を備えた１つのＩＣモジュール（３）を装着したコンビネーションＩＣカード（１）において、コンビネーションＩＣカード用のカード基板の内部に備えた非接触用アンテナとＩＣモジュールとの接合部（１１）の位置は、前記ＩＣモジュールセンター部（Ｏ１）より上部の左右２ヶ所に設計配置した。なお、接合部とは、電気的に接合する端部を示す。
【００１７】
前述したように，コンビネーションＩＣカード用のカードは、統一の製品仕様に準じて制作されている。例えばＩＣモジュールは前記製品仕様により設計配置され、該位置を変更することは出来ない。但し、前記アンテナとＩＣモジュールとの接合部（１１）の位置は、或る範囲内で変更することが出来る。前記範囲は、ＩＣモジュール配置内である。そのため、本発明のコンビネーションＩＣカードは、前記接合部（１１）の位置をＩＣモジュールセンター部（Ｏ１）より上部に設計配置した。例えば、図１に示すように、左右の前記接合部（１１）は、略、ＩＣモジュールセンター部（Ｏ１）より上部位置であり、ＩＣモジュール上部端部よりＩＣモジュール縦寸法の１／４近傍において、センター部（Ｏ１）に平行する正対位置に配置されている。
【００１８】
図２は、本発明のコンビネーションＩＣカードの評価結果を説明する概念図であり、（ａ）は、ＩＣモジュールセンター部（Ｏ１）近傍の位置にカード本体上面より加重をかけて曲げた時のコンビネーションＩＣカードの変形を説明する為の側断面図である。ＩＣカード（１）のアンテナとＩＣモジュールとの接合部（１１）の位置は、前記ＩＣモジュール（３）のセンター部（Ｏ１）より上部の位置に有るため、該変形にＩＣモジュールが追従して変形しても、接合部（１１）は、変形の影響を受けにくく、接合強度を劣化させるような影響は受けず、接合部の断線不良等が発生しない。
【００１９】
次に、図２（ｂ）に示すように、リーダーライターにＩＣカードを挿入したときに、前記接合部（１１）がＩＣモジュール（３）のセンター部（Ｏ１）より上部の位置に有るため、リーダーライターの搬送用ローラーが、接合部（１１）に接触せず、ローラー圧が掛からない。そのため、接合部（１１）の接合強度に影響を与えず、断線不良等が発生しない。すなわち、コンビネーションＩＣカードの接合部にダメージを与えず故障が発生しない。
【００２０】
本発明のコンビネーションＩＣカードの製造は、従来の技術にて説明した従来のＩＣカードの製造方法（図６参照）と同様であり、アンテナとＩＣモジュールとの接合部（１１）の位置のみ変更する。前記の工程中でアンテナとＩＣモジュールとの接合部（１１）の位置は、図１のＩＣモジュールの平面視、センター部（Ｏ１）より上部で、且つ前記センター部（Ｏ１）と平行線上の正対位置に形成して、ＩＣモジュールを搭載する。
【００２１】
【作用】
本発明のコンビネーションＩＣカードは、非接触用アンテナ（６）とＩＣモジュールとの接合部（１１）の位置が、ＩＣモジュールセンター部より上部近傍の位置で接合するので、ＩＣカードを変形しても、変形応力が接合部の強度に影響を与えず、リーダーライターでアクセスしても接合部にローラー圧が加わらない。
【００２２】
【発明の効果】
本発明のコンビネーションＩＣカードは、非接触用アンテナとＩＣモジュールの接合部の位置を変更することで、前記ＩＣカードの耐折り曲げ性が向上、又、リーダーライターでの耐久性が向上し、よってコンビネーションＩＣカードの接合部の断線による故障を低減できる効果がある。
【図面の簡単な説明】
【図１】本発明のコンビネーションＩＣカードのアンテナとＩＣモジュールの接合部を示す平面図である。
【図２】本発明のコンビネーションＩＣカードの評価結果を説明する概念図で、（ａ）は、折り曲げた状態のＩＣカードの側断面図であり、（ｂ）は、ＩＣカードの平面図である。
【図３】従来のコンビネーションＩＣカード（従来方式Ａ型）の構成を説明する平面図である。
【図４】従来のコンビネーションＩＣカード（従来方式Ｂ型）の他の構成を説明する平面図である。
【図５】従来のコンビネーションＩＣカード（従来方式Ａ型）の評価結果を説明する概念図で、（ａ）は、ＩＣカードの平面図であり、（ｂ）は、折り曲げた状態のＩＣカードの側断面図である。
【図６】従来のコンビネーションＩＣカードの積層構成を示す側断面図である。
【符号の説明】
１…コンビネーションＩＣカード（ＩＣカード）
２…（非接触用）アンテナ
３…ＩＣモジュール
４…ＩＣモジュール装着用凹部
５…導電性接着剤
８…（リーダーライダーの）搬送ローラーの搬送跡
１１…接合部
２１…裏面オーバーシート
２２…第１コアシート
２３…アンテナ形成シート
２４…第２コアシート
２５…表面オーバーシート
【図１】
2004118502.tif 000003
【図２】
2004118502.tif 000004
【図３】
2004118502.tif 000005
【図４】
2004118502.tif 000006
【図５】
2004118502.tif 000007
【図６】
2004118502.tif 000008